(57)【要約】【課題】  顧客が商品を購入した際の購買情報を管理する購買情報管理システムを提供する。【解決手段】  商品清算時にレジ端末（１０）が、情報記録媒体（０）に購買情報の書き込みを行うと共に、購買情報をレジ端末（１０）の具備する格納部（１３）に格納し、その格納部（１３）に格納した購買情報を購買情報管理端末（３０）に送信し、購買情報管理端末（３０）の具備する格納部（３１）で購買情報の履歴を管理する。そして、購買情報閲覧端末（２０）において、情報記録媒体（０）に記録された購買情報の閲覧要求が行われた際は、購買情報閲覧端末（２０）が、情報記録媒体（０）に記録された購買情報を読み出し、該読み出した購買情報を購買情報閲覧端末（２０）に表示する。また、購買情報の履歴の閲覧要求が行われた際は、購買情報管理端末（３０）から購買情報の履歴を取得し、該取得した購買情報の履歴を表示する。【選択図】  図１
2005258803.tif 000002
【特許請求の範囲】
【請求項１】
情報を記録可能な情報記録媒体と、商品清算時の購買情報を前記情報記録媒体に書き込むと共に前記購買情報を格納するレジ端末と、前記購買情報の履歴を管理する購買情報管理端末と、前記購買情報を閲覧可能な購買情報閲覧端末と、を有し、商品購入時の購買情報を管理する購買情報管理システムであって、
前記レジ端末は、
商品清算時に前記情報記録媒体に前記購買情報の書き込みを行う購買情報書込手段と、
前記購買情報を格納する購買情報格納手段と、
前記購買情報格納手段に格納された購買情報を前記購買情報管理端末に送信する購買情報送信手段と、
を有し、
前記購買情報管理端末は、
前記レジ端末から送信される購買情報を格納し、前記購買情報の履歴を管理する購買情報履歴管理手段を有し、
前記購買情報閲覧端末は、
前記情報記録媒体が前記購買情報閲覧端末にセットされ、前記情報記録媒体に記録された購買情報の閲覧要求が行われた際に、前記情報記録媒体に記録された購買情報を読み出し、該読み出した購買情報を表示する購買情報表示手段と、
前記情報記録媒体が前記購買情報閲覧端末にセットされ、前記購買情報の履歴の閲覧要求が行われた際に、前記購買情報管理端末に格納されている購買情報の履歴を取得し、該取得した購買情報の履歴を表示する購買履歴表示手段と、
を有することを特徴とする購買情報管理システム。
【請求項２】
前記情報記録媒体には、前記購買情報の管理を行うために必要となる会員情報が少なくとも記録されており、
前記レジ端末は、
前記情報記録媒体が前記レジ端末にセットされた際に、前記情報記録媒体に記録されている会員情報を取得し、該取得した会員情報を基に、前記情報記録媒体が前記レジ端末での使用が可能か否かを判定し、前記レジ端末での使用が可能と判定した場合に、前記購買情報書込手段により、前記情報記録媒体に前記購買情報の書き込みを行い、
前記購買情報格納手段により、前記情報記録媒体から取得した会員情報に関連付けて前記購買情報を格納し、
前記購買情報送信手段により、前記会員情報に関連付けて格納した前記購買情報を前記購買情報管理端末に送信し、
前記購買情報管理端末は、
前記購買情報履歴管理手段により、前記レジ端末から送信される購買情報を前記会員情報に関連付けて格納し、前記購買情報の履歴を管理することを特徴とする請求項１記載の購買情報管理システム。
【請求項３】
前記購買情報閲覧端末は、
前記情報記録媒体が前記購買情報閲覧端末にセットされ、前記購買情報の履歴の閲覧要求が行われた際に、前記情報記録媒体に記録されている会員情報を取得し、該取得した会員情報を基に、前記購買情報管理端末に格納されている前記会員情報に関連付けられた購買情報の履歴を取得し、該取得した購買情報の履歴を表示することを特徴とする請求項２記載の購買情報管理システム。
【請求項４】
前記購買情報管理端末は、前記会員情報に関連付けられた購買情報を、前記購買情報の閲覧を容認するためのパスワードに関連付けて格納しており、
前記購買情報閲覧端末は、
前記情報記録媒体に記録されている会員情報を取得した際に、前記パスワードの入力要求を行い、前記入力要求により前記パスワードが入力された際に、前記情報記録媒体から取得した会員情報と前記入力されたパスワードを基に、前記購買情報管理端末に格納されている前記会員情報と前記パスワードとに関連付けられた購買情報の履歴を取得し、該取得した購買情報の履歴を表示することを特徴とする請求項３記載の購買情報管理システム。
【請求項５】
前記購買情報閲覧端末は、
前記情報記録媒体に記録された購買情報の閲覧要求、または、前記購買情報の履歴の閲覧要求、を選択する選択手段を有し、
前記購買情報閲覧端末は、
前記選択手段により選択された前記購買情報の閲覧要求、または、前記購買情報の履歴の閲覧要求に応じた購買情報を表示することを特徴とする請求項１記載の購買情報管理システム。
【請求項６】
前記レジ端末は、
前記会員情報を管理する管理手段を有し、
前記レジ端末は、前記情報記録媒体から取得した会員情報と、前記管理手段が管理する会員情報と、が一致すると判定した場合に、前記情報記録媒体が前記レジ端末での使用を可能と判定することを特徴とする請求項１記載の購買情報管理システム。
【請求項７】
前記購買情報閲覧端末は、
前記情報記録媒体から読み出した購買情報、または、前記購買情報管理端末から取得した購買情報の履歴を印刷出力する印刷手段を有することを特徴とする請求項１記載の購買情報管理システム。
【請求項８】
前記購買情報管理システムは、前記購買情報管理端末の具備する格納部に格納されている購買情報の履歴を取得するユーザ端末を更に有し、
前記ユーザ端末は、
前記購買情報の履歴の取得要求を前記購買情報管理端末に送信する手段と、
前記購買情報の履歴を前記購買情報管理端末から受信し、該受信した購買情報の履歴を表示する手段と、
を有し、
前記購買情報管理端末は、
前記購買情報の履歴の取得要求を前記ユーザ端末から受信した際に、前記購買情報の履歴を前記ユーザ端末に送信する手段を有することを特徴とする請求項１から７の何れか１項に記載の購買情報管理システム。
【請求項９】
情報を記録可能な情報記録媒体と、商品清算時の購買情報を前記情報記録媒体に書き込むと共に前記購買情報を格納するレジ端末と、前記購買情報の履歴を管理する購買情報管理端末と、前記購買情報を閲覧可能な購買情報閲覧端末と、を有し、商品購入時の購買情報を管理する購買情報管理方法であって、
前記レジ端末は、
商品清算時に前記情報記録媒体が前記レジ端末にセットされた際に、前記情報記録媒体に対して前記購買情報の書き込みを行うと共に、前記購買情報を前記レジ端末の具備する格納部に格納する購買情報格納工程と、
前記レジ端末の具備する格納部に格納された購買情報を前記購買情報管理端末に送信する購買情報送信工程と、
を行い、
前記購買情報管理端末は、
前記レジ端末から送信される購買情報を前記購買情報管理端末の具備する格納部に格納し、前記購買情報の履歴を管理する購買情報履歴管理工程を行い、
前記購買情報閲覧端末は、
前記情報記録媒体が前記購買情報閲覧端末にセットされ、前記情報記録媒体に記録された購買情報の閲覧要求が行われた際に、前記情報記録媒体に記録された購買情報を読み出し、該読み出した購買情報を前記購買情報閲覧端末の具備する表示部に表示する購買情報表示工程と、
前記情報記録媒体が前記購買情報閲覧端末にセットされ、前記購買情報の履歴の閲覧要求が行われた際に、前記購買情報管理端末の具備する格納部に格納されている購買情報の履歴を取得し、該取得した購買情報の履歴を前記購買情報閲覧端末の具備する表示部に表示する購買履歴表示工程と、
を行うことを特徴とする購買情報管理方法。
【請求項１０】
前記情報記録媒体には、前記購買情報の管理を行うために必要となる会員情報が少なくとも記録されており、
前記レジ端末は、
前記情報記録媒体が前記レジ端末にセットされた際に、前記情報記録媒体に記録されている会員情報を取得し、該取得した会員情報を基に、前記情報記録媒体が前記レジ端末での使用が可能か否かを判定し、前記レジ端末での使用が可能と判定した場合に、前記情報記録媒体に前記購買情報の書き込みを行うと共に、前記購買情報を前記会員情報に関連付けて前記レジ端末の具備する格納部に格納する工程と、
前記レジ端末の具備する格納部に前記会員情報に関連付けて格納した前記購買情報を前記購買情報管理端末に送信する工程と、を行い、
前記購買情報管理端末は、
前記レジ端末から送信される購買情報を前記会員情報に関連付けて前記購買情報管理端末の具備する格納部に格納し、前記購買情報の履歴を管理することを特徴とする請求項９記載の購買情報管理方法。
【請求項１１】
前記購買情報閲覧端末は、
前記情報記録媒体が前記購買情報閲覧端末にセットされ、前記購買情報の履歴の閲覧要求が行われた際に、前記情報記録媒体に記録されている会員情報を取得し、該取得した会員情報を基に、前記購買情報管理端末の具備する格納部に格納されている前記会員情報に関連付けられた購買情報の履歴を取得し、該取得した購買情報の履歴を前記購買情報閲覧端末の具備する表示部に表示することを特徴とする請求項１０記載の購買情報管理方法。
【請求項１２】
前記購買情報管理端末の具備する格納部に格納されている前記会員情報に関連付けられた購買情報は、更に、前記購買情報の閲覧を容認するためのパスワードが関連付けられており、
前記購買情報閲覧端末は、
前記情報記録媒体に記録されている会員情報を取得した際に、前記パスワードの入力要求を行い、前記入力要求により前記パスワードが前記購買情報閲覧端末に入力された際に、前記情報記録媒体から取得した会員情報と前記入力されたパスワードを基に、前記購買情報管理端末の具備する格納部に格納されている前記会員情報とパスワードとに関連付けられた購買情報の履歴を取得し、該取得した購買情報の履歴を前記購買情報閲覧端末の具備する表示部に表示することを特徴とする請求項１１記載の購買情報管理方法。
【請求項１３】
前記購買情報閲覧端末は、
前記情報記録媒体に記録された購買情報の閲覧要求、または、前記購買情報の履歴の閲覧要求、を選択する選択画面を前記購買情報閲覧端末の具備する表示部上に表示し、前記選択画面から選択された前記購買情報の閲覧要求、または、前記購買情報の履歴の閲覧要求に応じた購買情報を表示することを特徴とする請求項９記載の購買情報管理方法。
【請求項１４】
前記レジ端末は、
前記会員情報を前記レジ端末の具備する格納部に格納しており、
前記レジ端末は、前記情報記録媒体から取得した会員情報と、前記格納部に格納されている会員情報と、が一致すると判定した場合に、前記情報記録媒体が前記レジ端末での使用を可能と判定することを特徴とする請求項９記載の購買情報管理方法。
【請求項１５】
前記購買情報閲覧端末は、
前記情報記録媒体から読み出した購買情報、または、前記購買情報管理端末から取得した購買情報の履歴を印刷出力する印刷工程を行うことを特徴とする請求項９記載の購買情報管理方法。
【請求項１６】
前記購買情報管理端末の具備する格納部に格納されている購買情報の履歴を取得するユーザ端末を更に有しており、
前記ユーザ端末は、
前記購買情報の履歴の取得要求を前記購買情報管理端末に送信する工程と、
前記購買情報の履歴を前記購買情報管理端末から受信し、該受信した購買情報の履歴を前記ユーザ端末の具備する表示部に表示する工程と、を行い、
前記購買情報管理端末は、
前記購買情報の履歴の取得要求を前記ユーザ端末から受信した際に、前記購買情報の履歴を前記ユーザ端末に送信する工程を行うことを特徴とする請求項９から１５の何れか１項に記載の購買情報管理方法。
【発明の詳細な説明】
【技術分野】
【０００１】
本発明は、ＰＯＳ（Ｐｏｉｎｔ  Ｏｆ  Ｓａｌｅｓ）端末装置等で顧客が商品を購入した際に発行するレシートに記載される購買情報を管理する購買情報管理システム及び購買情報管理方法に関するものである。
【背景技術】
【０００２】
従来から、商品を購入し清算を行う度に、ＰＯＳ端末装置からレシートが発行され、その発行したレシートを顧客に渡しているのが一般的である。このため、多量のレシート用紙が消費されることになる。また、顧客は、発行されたレシートに印字された購買情報を家計簿に書き写す、あるいは、パソコンに入力する等の操作を行うことで家計簿を作成していたのが現状であり、家計簿を作成するのに手間のかかる作業を強いられていた。
【０００３】
なお、本発明より先に出願された技術文献として、ＰＯＳ端末装置で顧客が精算を行う際に、読み取り可能な記録媒体に精算情報を書き込むことで、用紙資源の保護、環境悪化の改善、販売促進の改善、および顧客のサービスの向上を図るＰＯＳ端末装置のレシート発行方式がある（例えば、特許文献１参照）。
【０００４】
また、入力された商品の買い上げ情報に基づいてレシート情報を生成すると共に、当該顧客を識別して該顧客毎にレシート情報をアップロードする店側端末と、この店側端末からアップロードされたレシートファイルと、この顧客別レシートファイルにアクセスして該顧客毎のレシート情報を参照可能な顧客側端末と、を備え、レシート紙を不要とし家計簿の作成や商品買い上げの証明を容易にするレシートシステムがある（例えば、特許文献２参照）。
【０００５】
また、家計簿データを記憶させるメモリカード手段と、家計簿管理手段と家計簿データファイル手段と家計データ入力手段とカードＩ／Ｆ手段とを有する家計端末と、取引制御手段と顧客毎の家計簿データを生成する家計簿データ生成手段とカード書込手段とを有するＰＯＳ端末と、通信制御部と売上管理手段とデータマスタ手段とを有する店舗サーバと、で構成され、ＰＯＳ端末や店舗サーバに登録された取引データを家計端末に適合した家計簿データとして受け渡すものがある（例えば、特許文献３参照）。
【特許文献１】特開平１０−３２０６４９号公報
【特許文献２】特開平１０−５５３８４号公報
【特許文献３】特開２００２−７６８７号公報
【発明の開示】
【発明が解決しようとする課題】
【０００６】
しかしながら、上記特許文献１、３は、顧客が精算を行った際の情報を、記録媒体に書き込む旨は記載されているが、その記録媒体の有効利用を図ることは考慮されていない。また、上記特許文献２は、レシート情報を記録媒体に書き込むことは何ら示唆されていない。
【０００７】
本発明は、上記事情に鑑みてなされたものであり、顧客が商品を購入した際の購買情報の読み込み、書き込みが可能な情報記録媒体を用いて購買情報を管理する購買情報管理システム及び購買情報管理方法を提供することを目的とするものである。
【課題を解決するための手段】
【０００８】
かかる目的を達成するために本発明は以下の特徴を有することとする。
【０００９】
本発明にかかる購買情報管理システムは、情報を記録可能な情報記録媒体と、商品清算時の購買情報を情報記録媒体に書き込むと共に購買情報を格納するレジ端末と、購買情報の履歴を管理する購買情報管理端末と、購買情報を閲覧可能な購買情報閲覧端末と、を有し、商品購入時の購買情報を管理する購買情報管理システムであって、レジ端末は、商品清算時に情報記録媒体に購買情報の書き込みを行う購買情報書込手段と、購買情報を格納する購買情報格納手段と、購買情報格納手段に格納された購買情報を購買情報管理端末に送信する購買情報送信手段と、を有し、購買情報管理端末は、レジ端末から送信される購買情報を格納し、購買情報の履歴を管理する購買情報履歴管理手段を有し、購買情報閲覧端末は、情報記録媒体が購買情報閲覧端末にセットされ、情報記録媒体に記録された購買情報の閲覧要求が行われた際に、情報記録媒体に記録された購買情報を読み出し、該読み出した購買情報を表示する購買情報表示手段と、情報記録媒体が購買情報閲覧端末にセットされ、購買情報の履歴の閲覧要求が行われた際に、購買情報管理端末に格納されている購買情報の履歴を取得し、該取得した購買情報の履歴を表示する購買履歴表示手段と、を有することを特徴とするものである。
【００１０】
また、本発明にかかる購買情報管理システムにおいて、情報記録媒体には、購買情報の管理を行うために必要となる会員情報が少なくとも記録されており、レジ端末は、情報記録媒体がレジ端末にセットされた際に、情報記録媒体に記録されている会員情報を取得し、該取得した会員情報を基に、情報記録媒体がレジ端末での使用が可能か否かを判定し、レジ端末での使用が可能と判定した場合に、購買情報書込手段により、情報記録媒体に購買情報の書き込みを行い、購買情報格納手段により、情報記録媒体から取得した会員情報に関連付けて購買情報を格納し、購買情報送信手段により、会員情報に関連付けて格納した購買情報を購買情報管理端末に送信し、購買情報管理端末は、購買情報履歴管理手段により、レジ端末から送信される購買情報を会員情報に関連付けて格納し、購買情報の履歴を管理することを特徴とするものである。
【００１１】
また、本発明にかかる購買情報管理システムにおいて、購買情報閲覧端末は、情報記録媒体が購買情報閲覧端末にセットされ、購買情報の履歴の閲覧要求が行われた際に、情報記録媒体に記録されている会員情報を取得し、該取得した会員情報を基に、購買情報管理端末に格納されている会員情報に関連付けられた購買情報の履歴を取得し、該取得した購買情報の履歴を表示することを特徴とするものである。
【００１２】
また、本発明にかかる購買情報管理システムにおいて、購買情報管理端末は、会員情報に関連付けられた購買情報を、購買情報の閲覧を容認するためのパスワードに関連付けて格納しており、購買情報閲覧端末は、情報記録媒体に記録されている会員情報を取得した際に、パスワードの入力要求を行い、入力要求によりパスワードが入力された際に、情報記録媒体から取得した会員情報と入力されたパスワードを基に、購買情報管理端末に格納されている会員情報とパスワードとに関連付けられた購買情報の履歴を取得し、該取得した購買情報の履歴を表示することを特徴とするものである。
【００１３】
また、本発明にかかる購買情報管理システムにおいて、購買情報閲覧端末は、情報記録媒体に記録された購買情報の閲覧要求、または、購買情報の履歴の閲覧要求、を選択する選択手段を有し、購買情報閲覧端末は、選択手段により選択された購買情報の閲覧要求、または、購買情報の履歴の閲覧要求に応じた購買情報を表示することを特徴とするものである。
【００１４】
また、本発明にかかる購買情報管理システムにおいて、レジ端末は、会員情報を管理する管理手段を有し、レジ端末は、情報記録媒体から取得した会員情報と、管理手段が管理する会員情報と、が一致すると判定した場合に、情報記録媒体がレジ端末での使用を可能と判定することを特徴とするものである。
【００１５】
また、本発明にかかる購買情報管理システムにおいて、購買情報閲覧端末は、情報記録媒体から読み出した購買情報、または、購買情報管理端末から取得した購買情報の履歴を印刷出力する印刷手段を有することを特徴とするものである。
【００１６】
また、本発明にかかる購買情報管理システムは、購買情報管理端末の具備する格納部に格納されている購買情報の履歴を取得するユーザ端末を更に有し、ユーザ端末は、購買情報の履歴の取得要求を購買情報管理端末に送信する手段と、購買情報の履歴を購買情報管理端末から受信し、該受信した購買情報の履歴を表示する手段と、を有し、購買情報管理端末は、購買情報の履歴の取得要求をユーザ端末から受信した際に、購買情報の履歴をユーザ端末に送信する手段を有することを特徴とするものである。
【００１７】
また、本発明にかかる購買情報管理方法は、情報を記録可能な情報記録媒体と、商品清算時の購買情報を情報記録媒体に書き込むと共に購買情報を格納するレジ端末と、購買情報の履歴を管理する購買情報管理端末と、購買情報を閲覧可能な購買情報閲覧端末と、を有し、商品購入時の購買情報を管理する購買情報管理方法であって、レジ端末は、商品清算時に情報記録媒体がレジ端末にセットされた際に、情報記録媒体に対して購買情報の書き込みを行うと共に、購買情報をレジ端末の具備する格納部に格納する購買情報格納工程と、レジ端末の具備する格納部に格納された購買情報を購買情報管理端末に送信する購買情報送信工程と、を行い、購買情報管理端末は、レジ端末から送信される購買情報を購買情報管理端末の具備する格納部に格納し、購買情報の履歴を管理する購買情報履歴管理工程を行い、購買情報閲覧端末は、情報記録媒体が購買情報閲覧端末にセットされ、情報記録媒体に記録された購買情報の閲覧要求が行われた際に、情報記録媒体に記録された購買情報を読み出し、該読み出した購買情報を購買情報閲覧端末の具備する表示部に表示する購買情報表示工程と、情報記録媒体が購買情報閲覧端末にセットされ、購買情報の履歴の閲覧要求が行われた際に、購買情報管理端末の具備する格納部に格納されている購買情報の履歴を取得し、該取得した購買情報の履歴を購買情報閲覧端末の具備する表示部に表示する購買履歴表示工程と、を行うことを特徴とするものである。
【００１８】
また、本発明にかかる購買情報管理方法において、情報記録媒体には、購買情報の管理を行うために必要となる会員情報が少なくとも記録されており、レジ端末は、情報記録媒体がレジ端末にセットされた際に、情報記録媒体に記録されている会員情報を取得し、該取得した会員情報を基に、情報記録媒体がレジ端末での使用が可能か否かを判定し、レジ端末での使用が可能と判定した場合に、情報記録媒体に購買情報の書き込みを行うと共に、購買情報を会員情報に関連付けてレジ端末の具備する格納部に格納する工程と、レジ端末の具備する格納部に会員情報に関連付けて格納した購買情報を購買情報管理端末に送信する工程と、を行い、購買情報管理端末は、レジ端末から送信される購買情報を会員情報に関連付けて購買情報管理端末の具備する格納部に格納し、購買情報の履歴を管理することを特徴とするものである。
【００１９】
また、本発明にかかる購買情報管理方法において、購買情報閲覧端末は、情報記録媒体が購買情報閲覧端末にセットされ、購買情報の履歴の閲覧要求が行われた際に、情報記録媒体に記録されている会員情報を取得し、該取得した会員情報を基に、購買情報管理端末の具備する格納部に格納されている会員情報に関連付けられた購買情報の履歴を取得し、該取得した購買情報の履歴を購買情報閲覧端末の具備する表示部に表示することを特徴とするものである。
【００２０】
また、本発明にかかる購買情報管理方法において、購買情報管理端末の具備する格納部に格納されている会員情報に関連付けられた購買情報は、更に、購買情報の閲覧を容認するためのパスワードが関連付けられており、購買情報閲覧端末は、情報記録媒体に記録されている会員情報を取得した際に、パスワードの入力要求を行い、入力要求によりパスワードが購買情報閲覧端末に入力された際に、情報記録媒体から取得した会員情報と入力されたパスワードを基に、購買情報管理端末の具備する格納部に格納されている会員情報とパスワードとに関連付けられた購買情報の履歴を取得し、該取得した購買情報の履歴を購買情報閲覧端末の具備する表示部に表示することを特徴とするものである。
【００２１】
また、本発明にかかる購買情報管理方法において、購買情報閲覧端末は、情報記録媒体に記録された購買情報の閲覧要求、または、購買情報の履歴の閲覧要求、を選択する選択画面を購買情報閲覧端末の具備する表示部上に表示し、選択画面から選択された購買情報の閲覧要求、または、購買情報の履歴の閲覧要求に応じた購買情報を表示することを特徴とするものである。
【００２２】
また、本発明にかかる購買情報管理方法において、レジ端末は、会員情報をレジ端末の具備する格納部に格納しており、レジ端末は、情報記録媒体から取得した会員情報と、格納部に格納されている会員情報と、が一致すると判定した場合に、情報記録媒体がレジ端末での使用を可能と判定することを特徴とするものである。
【００２３】
また、本発明にかかる購買情報管理方法において、購買情報閲覧端末は、情報記録媒体から読み出した購買情報、または、購買情報管理端末から取得した購買情報の履歴を印刷出力する印刷工程を行うことを特徴とするものである。
【００２４】
また、本発明にかかる購買情報管理方法は、購買情報管理端末の具備する格納部に格納されている購買情報の履歴を取得するユーザ端末を更に有しており、ユーザ端末は、購買情報の履歴の取得要求を購買情報管理端末に送信する工程と、購買情報の履歴を購買情報管理端末から受信し、該受信した購買情報の履歴をユーザ端末の具備する表示部に表示する工程と、を行い、購買情報管理端末は、購買情報の履歴の取得要求をユーザ端末から受信した際に、購買情報の履歴をユーザ端末に送信する工程を行うことを特徴とするものである。
【発明の効果】
【００２５】
本発明にかかる購買情報管理システム及び購買情報管理方法は、情報を記録可能な情報記録媒体と、商品清算時の購買情報を情報記録媒体に書き込むと共に購買情報を格納するレジ端末と、購買情報の履歴を管理する購買情報管理端末と、購買情報を閲覧可能な購買情報閲覧端末と、を有し、商品清算時に情報記録媒体がレジ端末にセットされた際に、レジ端末が、情報記録媒体に対して購買情報の書き込みを行うと共に、購買情報をレジ端末の具備する格納部に格納し、そのレジ端末の具備する格納部に格納された購買情報を購買情報管理端末に送信することになる。そして、購買情報管理端末が、レジ端末から送信される購買情報を購買情報管理端末の具備する格納部に格納し、購買情報の履歴を管理することになる。そして、情報記録媒体が購買情報閲覧端末にセットされ、情報記録媒体に記録された購買情報の閲覧要求が行われた際に、購買情報閲覧端末が、情報記録媒体に記録された購買情報を読み出し、該読み出した購買情報を購買情報閲覧端末の具備する表示部に表示することになる。また、情報記録媒体が購買情報閲覧端末にセットされ、購買情報の履歴の閲覧要求が行われた際に、購買情報閲覧端末が、購買情報管理端末の具備する格納部に格納されている購買情報の履歴を取得し、該取得した購買情報の履歴を購買情報閲覧端末の具備する表示部に表示することになる。これにより、顧客が商品を購入した際の購買情報の読み込み、書き込みが可能な情報記録媒体を用いて購買情報を管理することが可能となり、レジ端末においてレシートの発行を不要とすることになる。また、情報記録媒体を用いて購買情報の履歴管理や、購買情報の閲覧が可能となる。
【発明を実施するための最良の形態】
【００２６】
まず、図１を参照しながら、本発明にかかる購買情報管理システム及び購買情報管理方法について説明する。
【００２７】
本発明にかかる購買情報管理システム及び購買情報管理方法は、情報を記録可能な情報記録媒体（０）と、商品清算時の購買情報を情報記録媒体（０）に書き込むと共に購買情報を格納するレジ端末（１０）と、購買情報の履歴を管理する購買情報管理端末（３０）と、購買情報を閲覧可能な購買情報閲覧端末（２０）と、を有し、商品清算時に情報記録媒体（０）がレジ端末（１０）にセットされた際に、レジ端末（１０）が、情報記録媒体（０）に対して購買情報の書き込みを行うと共に、購買情報をレジ端末（１０）の具備する格納部（１３）に格納し、そのレジ端末（１０）の具備する格納部（１３）に格納された購買情報を購買情報管理端末（３０）に定期的に送信することになる。そして、購買情報管理端末（３０）が、レジ端末（１０）から送信される購買情報を購買情報管理端末（３０）の具備する格納部（３１）に格納し、購買情報の履歴を管理することになる。そして、情報記録媒体（０）が購買情報閲覧端末（２０）にセットされ、情報記録媒体（０）に記録された購買情報の閲覧要求が行われた際に、購買情報閲覧端末（２０）が、情報記録媒体（０）に記録された購買情報を読み出し、該読み出した購買情報を購買情報閲覧端末（２０）の具備する表示部に表示することになる。また、情報記録媒体（０）が購買情報閲覧端末（２０）にセットされ、購買情報の履歴の閲覧要求が行われた際に、購買情報閲覧端末（２０）が、購買情報管理端末（３０）の具備する格納部（３１）に格納されている購買情報の履歴を取得し、該取得した購買情報の履歴を購買情報閲覧端末（２０）の具備する表示部に表示することになる。これにより、顧客が商品を購入した際の購買情報の読み込み、書き込みが可能な情報記録媒体（０）を用いて購買情報を管理することが可能となり、レジ端末（１０）においてレシートの発行を不要とすることになる。また、情報記録媒体（０）を用いて購買情報閲覧端末（２０）において購買情報の履歴管理や、購買情報の閲覧が可能となる。
【００２８】
また、購買情報管理端末（３０）の具備する格納部（３１）に格納されている購買情報の履歴を取得するユーザ端末（４０）を更に有しており、ユーザ端末（４０）は、購買情報の履歴の取得要求を購買情報管理端末（３０）に送信し、購買情報の履歴を購買情報管理端末（３０）から受信し、該受信した購買情報の履歴をユーザ端末（４０）の具備する表示部に表示することになる。これにより、ユーザ端末（４０）を用いて購買情報管理端末（３０）にアクセスし、購買情報の履歴を取得することが可能となり、その取得した購買情報を基に家計簿を作成することが可能となる。なお、情報記録媒体（０）は、情報の書き込み、読み込みが可能なものであれば、特に限定するものではなく、磁気カードや、ＩＣカード、携帯電話等が適用可能である。このため、レジ端末（１０）や購買情報閲覧端末（２０）において情報記録媒体（０）をセットした際に自動的に近距離無線通信を行うことも可能である。
【実施例】
【００２９】
以下、添付図面を参照しながら、本発明にかかる購買情報管理システム及び購買情報管理方法について説明する。
【００３０】
まず、図１を参照しながら、本発明にかかる購買情報管理システムのシステム構成について説明する。
【００３１】
本発明にかかる購買情報管理システムは、レジ端末（１０）と、購買情報閲覧端末（２０）と、購買情報管理端末（３０）と、ユーザ端末（４０）と、がネットワーク（１００）を介して接続されたシステムである。
【００３２】
（レジ端末（１０））
レジ端末（１０）は、店舗内に設置される情報処理装置であり、顧客が購入した商品等の購買情報をレジ端末（１０）の具備する購買情報データベース（１３）で格納管理することになる。なお、レジ端末（１０）には、バーコードリーダ（１１）と、カードリード／ライト装置（１２）と、が接続されており、そのレジ端末（１０）に接続されているバーコードリーダ（１１）により、顧客が購入する商品のバーコード情報を読み取り、その読み取ったバーコード情報に対応する商品の商品名、金額、及び、商品の累計金額等の購買情報がレジ端末（１０）の具備する表示画面上に表示されることになる。そして、レジ端末（１０）での清算が終了した際に、その清算終了時の購買情報が、レジ端末（１０）と接続されたカードリード／ライト装置（１２）からサービス・カード（０）に書き込まれることになる。これにより、サービス・カード（０）に購買情報が記録されることになる。なお、サービス・カード（０）は、商品購入時の購買情報を記録するための情報記録媒体であり、サービス・カード（０）の具備する情報記憶部（図示せず）に購買情報が記録されることになる。なお、サービス・カード（０）は、サービス・カード（０）の具備する情報記憶部に記憶された情報の読み出し、書き出しが可能な情報記録媒体であれば特に限定するものではなく、磁気カードやＩＣカードや携帯電話等が適用可能である。
【００３３】
また、レジ端末（１０）は、清算終了時の購買情報をレジ端末（１０）の具備する購買情報データベース（１３）に格納することになる。なお、図２に、購買情報データベース（１３）のデータ構成を示唆する。購買情報データベース（１３）に格納される購買情報は、図２に示唆するように、サービス・カード（０）を利用する会員情報に関連付けて格納することになる。そして、レジ端末（１０）は、購買情報データベース（１３）に格納した購買情報をネットワーク（１００）を介して接続された購買情報管理端末（３０）に定期的に送信することになる。
【００３４】
（購買情報管理端末（３０））
購買情報管理端末（３０）は、レジ端末（１０）から送信された購買情報の履歴を管理する情報処理装置であり、購買情報を管理する管理センタが保有することになる。なお、購買情報管理端末（３０）はレジ端末（１０）から送信された購買情報の履歴を管理するために購買履歴データベース（３１）を具備している。なお、図３に購買履歴データベース（３１）のデータ構成を示唆する。購買履歴データベース（３１）に格納される購買情報は、図３に示唆するように、サービス・カード（０）を利用する会員情報と、購買情報を購買情報管理端末（３０）から取得する際に必要となるパスワードと、に関連付けて格納することになる。
【００３５】
（購買情報閲覧端末（２０））
購買情報閲覧端末（２０）は、サービス・カード（０）に記録された購買情報を閲覧したり、購買情報管理端末（３０）の具備する購買履歴データベース（３１）に格納されている購買履歴情報を閲覧したりするための情報処理装置であり、店舗等に設置されることになる。
【００３６】
（ユーザ端末（４０））
ユーザ端末（４０）は、購買情報管理端末（３０）の具備する購買履歴データベース（３１）に格納されている購買履歴情報をネットワーク（１００）を介して取得し、その取得した購買履歴情報を、ユーザ端末（４０）の具備する表示部上で閲覧するための情報処理装置である。また、ユーザ端末（４０）は、購買履歴データベース（３１）から取得した購買履歴情報を基に家計簿等を作成したりすることになる。
【００３７】
（購買情報管理システムにおける処理動作）
次に、図４〜図７を参照しながら、本発明にかかる購買情報管理システムにおける処理動作について説明する。
【００３８】
なお、本発明のかかる購買情報管理システムを利用する際は、顧客が店舗等のサービス提供者側との間でサービス・カード（０）の利用契約等を結び、店舗等のサービス提供者側から顧客にサービス・カード（０）が提供されることになる。このサービス・カード（０）には、サービス・カード（０）の具備する情報記憶部（図示せず）に、サービス・カード（０）を発行した際の顧客情報、顧客ごとに紐付けされた顧客識別番号情報等の会員情報が記憶されることになる。また、この会員情報は、レジ端末（１０）の具備する購買情報データベース（１３）と、購買情報管理端末（３０）の具備する購買履歴データベース（３１）と、に格納されることになる。なお、顧客は、サービス・カード（０）の利用契約を結ぶ際に、購買情報を閲覧する際に必要となるパスワードを決定することになり、その決定したパスワードが会員情報と関連付けて、購買情報管理端末（３０）の具備する購買履歴データベース（３１）に格納されることになる。
【００３９】
まず、図４を参照しながら、サービス・カード（０）を利用してレジ端末（１０）にて行う商品清算時の処理動作について説明する。
【００４０】
まず、サービス・カード（０）を取得した顧客は、店舗等で商品を購入し、レジ端末（１０）で清算を行う前に、レジ担当の店員に、サービス・カード（０）を渡すことになる。そして、店員は、レジ端末（１０）に接続されたカードリード／ライト装置（１２）に顧客から渡されたサービス・カード（０）をセットすることになる（ステップＳ１）。
【００４１】
カードリード／ライト装置（１２）は、サービス・カード（０）の具備する情報記憶部に記憶されている会員情報を読み取り、その読み取った会員情報をレジ端末（１０）に送信する（ステップＳ２）。
【００４２】
レジ端末（１０）は、カードリード／ライト装置（１２）から受信した会員情報が、レジ端末（１０）の具備する購買情報データベース（１３）に格納されているか否かを判定し、カードリード／ライト装置（１２）にセットされたサービス・カード（０）がレジ端末（１０）で利用可能か否かを判断することになる。
【００４３】
レジ端末（１０）は、カードリード／ライト装置（１２）から受信した会員情報が、レジ端末（１０）の具備する購買情報データベース（１３）に格納されていると判定し、カードリード／ライト装置（１２）にセットされたサービス・カード（０）がレジ端末（１０）で利用可能と判断した場合は、レジ端末（１０）の具備する表示部上にサービス・カード（０）が利用可能である旨を表示することになる。これにより、店員は、当店舗で発行しているサービス・カード（０）である旨をレジ端末（１０）の具備する表示部上で確認することが可能となる。
【００４４】
また、レジ端末（１０）は、カードリード／ライト装置（１２）から受信した会員情報が、レジ端末（１０）の具備する購買情報データベース（１３）に格納されていないと判定し、カードリード／ライト装置（１２）にセットされたサービス・カード（０）がレジ端末（１０）で利用不可能と判断した場合は、レジ端末（１０）の具備する表示部上にサービス・カード（０）が利用不可能である旨の情報を表示することになる。これにより、店員は、当店舗で発行していないサービス・カード（０）である旨をレジ端末（１０）の具備する表示部上で確認することが可能となる。
【００４５】
次に、店員は、サービス・カード（０）がレジ端末（１０）で利用可能であることを確認すると、顧客が購入した商品の具備するバーコードを一点、一点バーコードリーダ（１１）で読み取り、バーコードリーダ（１１）は、その読み取ったバーコードの情報をレジ端末（１０）に送信することになる。これにより、バーコードリーダ（１１）で読み取ったバーコードの情報に対応する商品名、金額等の情報、及び、読み取ったバーコードの累計金額等の購買情報がレジ端末（１０）の具備する記憶部に一時的に記憶されることになる。また、バーコードリーダ（１１）で読み取ったバーコードの情報に対応する商品名、金額等の情報、及び、読み取ったバーコードの累計金額等の購買情報がレジ端末（１０）の具備する表示部上に表示されることになる（ステップＳ３）。
【００４６】
店員は、レジ端末（１０）での清算が終了し、店員がレジ端末（１０）に対して所定の操作を行うことで、レジ端末（１０）は、清算が終了したと判断し、レジ端末（１０）は、レジ端末（１０）の具備する記憶部に一時的に記憶した上記の購買情報をカードリード／ライト装置（１２）に送信し、カードリード／ライト装置（１２）は、レジ端末（１０）から受信した購買情報を、サービス・カード（０）の具備する情報記憶部に書き込むことになる（ステップＳ４）。そして、店員は、購買情報が書き込まれたサービス・カード（０）を顧客に渡すことになる。
【００４７】
このように、レジ端末（１０）で清算した際の商品購入時の購買情報をサービス・カード（０）に書き込むことで、レジ端末（１０）から出力されるレシート用紙を不要とし、ゴミの削減を図ることが可能となる。なお、レジ端末（１０）は、レジ端末（１０）の具備する記憶部に一時的に記憶した購買情報をレシート用紙に印字して出力することも可能である。
【００４８】
次に、レジ端末（１０）は、レジ端末（１０）の具備する記憶部に一時的に記憶した商品購入時の購買情報をレジ端末（１０）の具備する購買情報データベース（１３）に格納することになる（ステップＳ５）。そして、レジ端末（１０）は、レジ端末（１０）の具備する購買情報データベース（１３）に格納した購買情報を、購買情報管理端末（３０）に定期的に送信することになる（ステップＳ６）。
【００４９】
購買情報管理端末（３０）は、レジ端末（１０）が送信した購買情報を受信し、購買情報管理端末（１０）は、その受信した購買情報を、購買情報管理端末（３０）の具備する購買履歴データベース（３１）に格納することになる（ステップＳ７）。
【００５０】
このように、レジ端末（１０）は、商品購入時の購買情報をレジ端末（１０）の具備する購買情報データベース（１３）に格納し、レジ端末（１０）は、購買情報データベース（１３）に格納した購買情報を、購買情報管理端末（３０）に定期的に送信することで、購買情報管理端末（３０）の具備する購買履歴データベース（３１）に格納されている購買情報を更新することになる。
【００５１】
なお、上記処理動作では、レジ端末（１０）が、レジ端末（１０）の具備する購買情報データベース（１３）の購買情報を、購買情報管理端末（３０）に定期的に送信することで、購買情報管理端末（３０）の具備する購買履歴データベース（３１）の購買情報を更新することとしたが、購買情報管理端末（３０）が定期的に購買情報の取得要求をレジ端末（１０）に送信し、レジ端末（１０）が購買情報の取得要求を受信した際に、レジ端末（１０）が、レジ端末（１０）の具備する購買情報データベース（１３）の購買情報を、購買情報管理端末（３０）に送信することで、購買情報管理端末（３０）の具備する購買履歴データベース（３１）の購買情報を更新することも可能である。
【００５２】
次に、図５、図６を参照しながら、商品購入時の購買情報を、店舗に設置されている購買情報閲覧端末（２０）にて閲覧する際の処理動作について説明する。なお、図５は、サービス・カード（０）に記録されている購買情報を閲覧する際の処理動作を示唆し、図６は、購買情報管理端末（３０）で管理する購買履歴情報を閲覧する際の処理動作を示唆する。
【００５３】
まず、顧客は、サービス・カード（０）に記録されている購買情報を閲覧するか、または、購買情報管理端末（３０）で管理する購買履歴情報を閲覧するか、を店舗に設置されている購買情報閲覧端末（２０）の具備する表示部上に表示されたメニュー画面から選択することになる。
【００５４】
顧客は、サービス・カード（０）に記録されている購買情報を閲覧する場合は（図５参照）、購買情報閲覧端末（２０）の具備するカード読取部にサービス・カード（０）をセットし（ステップＳ１１）、購買情報閲覧端末（２０）の具備する表示部上に表示されたメニュー画面からサービス・カード（０）に記録されている購買情報を閲覧するための選択画面を選択することになる。
【００５５】
購買情報閲覧端末（２０）は、サービス・カード（０）に記録されている購買情報を閲覧するための選択画面の選択がされたと認識すると、購買情報閲覧端末（２０）の具備するカード読取部は、サービス・カード（０）の具備する情報記憶部から購買情報を読み出すことになる（ステップＳ１２）。そして、購買情報閲覧端末（２０）は、購買情報閲覧端末（２０）の具備するカード読取部がサービス・カード（０）から読み出した購買情報を、購買情報閲覧端末（２０）の具備する表示部上に表示することになる（ステップＳ１３）。これにより、顧客は、サービス・カード（０）の具備する情報記憶部に記憶された購買情報を、購買情報閲覧端末（２０）の具備する表示部上で閲覧することが可能となる。
【００５６】
また、顧客が、購買情報の履歴を購買情報閲覧端末（２０）の具備する表示部上で閲覧したい場合は（図６参照）、購買情報閲覧端末（２０）の具備するカード読取部にサービス・カード（０）をセットし（ステップＳ２１）、購買情報閲覧端末（２０）の具備する表示部上に表示されたメニュー画面から購買履歴情報を閲覧するための選択画面を選択することになる。
【００５７】
購買情報閲覧端末（２０）は、購買履歴情報を閲覧するための選択画面の選択がされたと認識すると、購買情報閲覧端末（２０）の具備するカード読取部は、サービス・カード（０）の具備する情報記憶部から会員情報を読み出すことになる（ステップＳ２２）。そして、購買情報閲覧端末（２０）は、購買情報閲覧端末（２０）の具備するカード読取部がサービス・カード（０）から会員情報を読み出した際に、購買情報閲覧端末（２０）の具備する表示部上にパスワードの入力画面を表示させることになる。これにより、顧客は、購買情報閲覧端末（２０）の具備する表示部上からパスワードを入力することになる（ステップＳ２３）。
【００５８】
購買情報閲覧端末（２０）は、購買情報閲覧端末（２０）の具備する表示部上からパスワードが入力されたと判断した場合に、購買情報閲覧端末（２０）は、表示部上から入力されたパスワードと、カード読取部がサービス・カード（０）から読み出した会員情報と、を購買情報管理端末（３０）に送信することになる（ステップＳ２４）。
【００５９】
購買情報管理端末（３０）は、購買情報閲覧端末（２０）が送信した会員情報とパスワードとを受信すると、購買情報管理端末（３０）は、その受信した会員情報とパスワードとが、購買情報管理端末（３０）の具備する購買履歴データベース（３１）に格納されているか否かを判定することになる（ステップＳ２５）。購買情報管理端末（３０）は、会員情報とパスワードとが購買履歴データベース（３１）に格納されていると判定した場合は、購買情報管理端末（３０）は、その会員情報とパスワードとに関連付けて購買履歴データベース（３１）に格納されている購買情報を取得し、その取得した購買情報を購買情報閲覧端末（２０）に送信することになる（ステップＳ２６）。
【００６０】
購買情報閲覧端末（２０）は、購買情報管理端末（３０）が送信した購買情報を受信した場合は、その受信した購買情報を購買情報閲覧端末（２０）の具備する表示部上に表示することになる（ステップＳ２７）。この時、購買情報閲覧端末（２０）は、購買情報管理端末（３０）から受信した購買情報を所定のフォーマット形式の家計簿データに編集し、その編集した家計簿データを購買情報閲覧端末（２０）の具備する表示部上に表示させることになる。なお、購買情報閲覧端末（２０）は、購買情報管理端末（３０）から受信した購買情報を購買情報閲覧端末（２０）の具備する表示部上に表示させる際に、顧客の所望する形式で表示部上に購買情報を表示させるように構築することも可能である。この場合、購買情報閲覧端末（２０）は、日別の購買金額の推移、カテゴリー別（食品、雑貨等）、購買比率の推移等、今後の購買を計画するにあたって参考となる状態の購買情報に編集し、その編集した購買情報を購買情報閲覧端末（２０）の具備する表示部上に表示することになる。これにより、顧客は、購買情報管理端末（３０）の具備する購買履歴データベース（３１）に格納されている購買履歴情報を、購買情報閲覧端末（２０）の具備する表示部上で閲覧することが可能となる。
【００６１】
また、購買情報管理端末（３０）は、会員情報とパスワードとが購買履歴データベース（３１）に格納されていないと判定した場合は、購買情報管理端末（３０）は、会員情報とパスワードとが購買履歴データベース（３１）に格納されていない旨の情報を購買情報閲覧端末（２０）に送信することになる。購買情報閲覧端末（２０）は、会員情報とパスワードとが購買履歴データベース（３１）に格納されていない旨の情報を購買情報管理端末（３０）から受信した際に、購買情報閲覧端末（２０）は、エラー表示を行うことになり、会員情報とパスワードとが購買履歴データベース（３１）に格納されていない旨の情報を購買情報閲覧端末（２０）の具備する表示部上に表示することになる。
【００６２】
なお、購買情報閲覧端末（２０）は、購買情報閲覧端末（２０）の具備する表示部上から購買情報の印刷要求が行われたと判断した場合に、サービス・カード（０）から読み出した購買情報や、購買情報管理端末（３０）から受信した購買情報を、用紙等に印刷し出力することも可能である。これにより、顧客は、サービス・カード（０）から読み出した購買情報や、購買情報管理端末（３０）から受信した購買情報を、購買情報閲覧端末（２０）でプリントすることが可能となる。
【００６３】
次に、図７を参照しながら、商品購入時の購買情報をユーザ端末（４０）にて閲覧する際の処理動作について説明する。
【００６４】
まず、顧客は、ユーザ端末（４０）を用いて購買情報管理端末（３０）にアクセスし、ユーザ端末（４０）の具備する操作部上から会員情報とパスワードとを入力することになる（ステップＳ３１）。そして、ユーザ端末（４０）は、操作部上から入力された会員情報とパスワードとを購買情報管理端末（３０）に送信することになる（ステップＳ３２）。
【００６５】
購買情報管理端末（３０）は、ユーザ端末（４０）が送信した会員情報とパスワードとを受信し、購買情報管理端末（３０）は、その受信した会員情報とパスワードとが購買情報管理端末（３０）の具備する購買履歴データベース（３１）に関連付けて格納されているか否かを判定することになる（ステップＳ３３）。
【００６６】
購買情報管理端末（３０）は、ユーザ端末（４０）から受信した会員情報とパスワードとが購買情報管理端末（３０）の具備する購買履歴データベース（３１）に関連付けて格納されていると判断した場合は、購買情報管理端末（３０）は、その会員情報とパスワードとに関連付けて購買履歴データベース（３１）に格納されている購買情報を取得し、その購買履歴データベース（３１）から取得した購買情報をユーザ端末（４０）に送信することになる（ステップＳ３４）。
【００６７】
ユーザ端末（４０）は、購買情報管理端末（３０）が送信した購買情報を受信し、その受信した購買情報をユーザ端末（４０）の具備する表示部上に表示することになる（ステップＳ３５）。この時、ユーザ端末（４０）は、購買情報管理端末（３０）から受信した購買情報を所定のフォーマット形式の家計簿データに編集し、その編集した家計簿データをユーザ端末（４０）の具備する表示部上に表示させることになる。なお、ユーザ端末（４０）は、購買情報管理端末（３０）から受信した購買情報をユーザ端末（４０）の具備する表示部上に表示させる際に、顧客の所望する形式で表示部上に購買情報を表示させるように構築することも可能である。この場合、ユーザ端末（４０）は、日別の購買金額の推移、カテゴリー別（食品、雑貨等）、購買比率の推移等、今後の購買を計画するにあたって参考となる状態の購買情報に編集し、その編集した購買情報をユーザ端末（４０）の具備する表示部上に表示することになる。これにより、顧客は、購買情報管理端末（３０）の具備する購買履歴データベース（３１）に格納されている購買履歴情報を、ユーザ端末（４０）の具備する表示部上で閲覧することが可能となる。また、顧客は、購買情報管理端末（３０）の具備する購買履歴データベース（３１）に格納されている購買履歴情報を基に、ユーザ端末（４０）上で家計簿を作成することが可能となる（ステップＳ３６）。
【００６８】
また、購買情報管理端末（３０）は、会員情報とパスワードとが購買履歴データベース（３１）に格納されていないと判定した場合は、購買情報管理端末（３０）は、会員情報とパスワードとが購買履歴データベース（３１）に格納されていない旨の情報をユーザ端末（４０）に送信することになる。ユーザ端末（４０）は、会員情報とパスワードとが購買履歴データベース（３１）に格納されていない旨の情報を購買情報管理端末（３０）から受信した際に、ユーザ端末（４０）は、エラー表示を行うことになり、会員情報とパスワードとが購買履歴データベース（３１）に格納されていない旨の情報をユーザ端末（４０）の具備する表示部上に表示することになる。
【００６９】
なお、上述する実施例は、本発明の好適な実施例であり、上記実施例のみに本発明の範囲を限定するものではなく、本発明の要旨を逸脱しない範囲において種々の変更を施した形態での実施が可能である。例えば、購買情報管理端末（３０）は、購買履歴データベース（３１）に格納された購買履歴情報を基に、会員別に購買履歴情報を分析し、購買傾向情報等を作成し、会員専用ポータルサイトを通じて、効果的なプロモーション展開を行うことも可能である。また、上記実施例では、サービス・カード（０）に記録されている購買情報を閲覧する場合は、購買情報閲覧端末（２０）の具備するカード読取部にサービス・カード（０）をセットし、カード読取部が、サービス・カード（０）の具備する情報記憶部から購買情報を読み出し、その読み出した購買情報を、購買情報閲覧端末（２０）の具備する表示部上に表示することとしたが、サービス・カード（０）に記録されている購買情報を閲覧する際に、その購買情報を閲覧するための認証情報を購買情報閲覧端末（２０）の具備する表示部から顧客に要求させるようにすることも可能である。
【００７０】
この場合は、サービス・カード（０）に記録された購買情報を閲覧するための認証情報を情報記憶部に記憶することになる。そして、顧客がサービス・カード（０）に記録されている購買情報を閲覧する場合は、購買情報閲覧端末（２０）の具備するカード読取部にサービス・カード（０）をセットし、購買情報閲覧端末（２０）の具備する表示部上に表示されたメニュー画面からサービス・カード（０）に記録されている購買情報を閲覧するための選択画面を選択することになる。購買情報閲覧端末（２０）は、サービス・カード（０）に記録されている購買情報を閲覧するための選択画面の選択がされたと認識すると、購買情報閲覧端末（２０）の具備するカード読取部は、サービス・カード（０）の具備する情報記憶部から認証情報を読み出すことになる。そして、購買情報閲覧端末（２０）は、購買情報閲覧端末（２０）の具備するカード読取部がサービス・カード（０）から認証情報を読み出した際に、購買情報閲覧端末（２０）の具備する表示部上に認証情報の入力画面を表示させることになる。これにより、顧客は、購買情報閲覧端末（２０）の具備する表示部上から認証情報を入力することになる。
【００７１】
購買情報閲覧端末（２０）は、購買情報閲覧端末（２０）の具備する表示部上から認証情報が入力されたと判断した場合に、購買情報閲覧端末（２０）は、表示部上から入力された認証情報と、カード読取部がサービス・カード（０）から読み出した認証情報と、が一致するか否かを判定し、双方の認証情報が一致すると判定した場合は、購買情報閲覧端末（２０）の具備するカード読取部がサービス・カード（０）から購買情報を読み出し、その読み出した購買情報を、購買情報閲覧端末（２０）の具備する表示部上に表示することになる。これにより、サービス・カード（０）に記録された購買情報を購買情報閲覧端末（２０）で閲覧する際のセキュリティを向上させることが可能となる。
【産業上の利用可能性】
【００７２】
本発明にかかる購買情報管理システム及び購買情報管理方法は、ＰＯＳ（Ｐｏｉｎｔ  Ｏｆ  Ｓａｌｅｓ）端末装置等で顧客が商品を購入した際に発行するレシートに記載される購買情報を管理するサービスに適用可能である。
【図面の簡単な説明】
【００７３】
【図１】本発明にかかる購買情報管理システムのシステム構成を示唆するブロック図である。
【図２】本発明にかかる購買情報管理システムを構成するレジ端末（１０）の具備する購買情報ＤＢ（データベース）に格納されるデータ構成例を示唆する図である。
【図３】本発明にかかる購買情報管理システムを構成する購買情報管理端末（３０）の具備する購買履歴ＤＢ（データベース）に格納されるデータ構成例を示唆する図である。
【図４】サービス・カード（０）を利用してレジ端末（１０）にて行う商品清算時の処理動作を示唆するシーケンスチャートである。
【図５】サービス・カード（０）に記録されている購買情報を購買情報閲覧端末（２０）にて閲覧する際の処理動作を示唆するフローチャートである。
【図６】購買情報管理端末（３０）で管理する購買履歴情報を購買情報閲覧端末（２０）にて閲覧する際の処理動作を示唆するシーケンスチャートである。
【図７】購買情報管理端末（３０）で管理する購買履歴情報をユーザ端末（４０）にて閲覧する際の処理動作を示唆するシーケンスチャートである。
【符号の説明】
【００７４】
０    サービス・カード
１０    レジ端末
１１    バーコードリーダ
１２    カードリード／ライト装置
１３    購買情報データベース
２０    購買情報閲覧端末
３０    購買情報管理端末
３１    購買履歴データベース
４０    ユーザ端末
１００    ネットワーク
【図１】
2005258803.tif 000003
【図２】
2005258803.tif 000004
【図３】
2005258803.tif 000005
【図４】
2005258803.tif 000006
【図５】
2005258803.tif 000007
【図６】
2005258803.tif 000008
【図７】
2005258803.tif 000009